(57)【要約】【課題】  プレイモードで振動による歯部どうしの衝突や異音の発生を防ぐこと。【解決手段】  従動ピニオン２４とギア機構５２との間にクラッチ機構３６が設けられ、該クラッチ機構３６が、従動ピニオン２４の中央部外周面に部分的に形成したクラッチ溝５０と、該クラッチ溝５０に外周部を部分的に嵌入させたクラッチ歯車５１とからなり、該クラッチ歯車５１がギア機構５２を介してフィードモータ１７に連動連結されており、プレイモードからエジェクトモードに切り換えることにより、フィードモータ１７を駆動して光ピックアップ１２を最前進ａ位置まで移動させた後にカムスライダ７を左右一方向ｃにスライドさせることにより、切換ラック２３に噛合する従動ピニオン２４を正転ｉさせ、その正転ｉさせた従動ピニオン２４をクラッチ歯車５１に噛合させることによりクラッチ機構３６をオン状態にする。【選択図】        図１
2006040386.tif 000002
【特許請求の範囲】
【請求項１】
ディスク載置用トレイを前後進可能に支持するローダーシャーシが設けられ、該ローダ
ーシャーシの内部空間に、光ピックアップを前後進可能に配置したトラバースシャーシと
トラバースホルダとが配置され、前記トラバースシャーシの四隅部がダンパーを介してロ
ーダーシャーシとトラバースホルダとの連結され、該トラバースホルダがローダーシャー
シに前後進方向とは直交する左右方向にスライド可能に配置したカムスライダに係合され
、該カムスライダの一端に形成した切換ラックと、該切換ラックに対向してローダーシャ
ーシに正逆回転可能に配置した従動ピニオンとの間にクラッチ機構が設けられ、該従動ピ
ニオンとトラバースシャーシに設けたフィードモータとを連動連結するギア機構がそのト
ラバースシャーシに設けられており、プレイモードからエジェクトモードに切り換えるこ
とにより、フィードモータを駆動して光ピックアップを最前進位置まで移動させた後にカ
ムスライダを左右一方向にスライドさせることにより、切換ラックを従動ピニオンに噛合
させてクラッチ機構をオン状態とし、フィードモータによりギア機構、従動ピニオン及び
切換ラックを介してカムスライダを左右一方向にスライドさせることにより、トラバース
シャーシを下動させ、トレイを前進させるようにしたディスク装置において、前記切換ラ
ックと従動ピニオンとの間に設けたクラッチ機構を、その従動ピニオンとギア機構との間
に移行させ、その移行させたクラッチ機構が、従動ピニオンの中央部外周面に部分的に形
成したクラッチ溝と、該クラッチ溝に外周部を部分的に嵌入させたクラッチ歯車とからな
り、該クラッチ歯車がギア機構を介してフィードモータに連動連結されており、プレイモ
ードからエジェクトモードに切り換えることにより、フィードモータを駆動して光ピック
アップを最前進位置まで移動させた後にカムスライダを左右一方向にスライドさせること
により、切換ラックに噛合する従動ピニオンを正転させ、その正転させた従動ピニオンを
クラッチ歯車に噛合させることによりクラッチ機構をオン状態にすることを特徴とするデ
ィスク装置。
【請求項２】
ディスク載置用トレイを前後進可能に支持するローダーシャーシが設けられ、該ローダ
ーシャーシの内部空間に、光ピックアップを前後進可能に配置したトラバースシャーシと
トラバースホルダとが配置され、前記トラバースシャーシの四隅部がダンパーを介してロ
ーダーシャーシとトラバースホルダとの連結され、該トラバースホルダがローダーシャー
シに前後進方向とは直交する左右方向にスライド可能に配置したカムスライダに係合され
、該カムスライダの一端に形成した切換ラックに対向してローダーシャーシに従動ピニオ
ンが正逆回転可能に配置され、該従動ピニオンとトラバースシャーシ上のフィードモータ
とを連動連結するギア機構がそのトラバースシャーシ上に設けられたディスク装置におい
て、前記従動ピニオンとギア機構との間にクラッチ機構が設けられており、プレイモード
からエジェクトモードに切り換えることにより、フィードモータを駆動して光ピックアッ
プを最前進位置まで移動させた後にカムスライダを左右一方向にスライドさせることによ
り、切換ラックに噛合する従動ピニオンを正転させてクラッチ機構をオン状態とし、フィ
ードモータによりギア機構、クラッチ機構、従動ピニオン及び切換ラックを介してカムス
ライダを左右一方向にスライドさせることにより、トラバースシャーシを下動させ、トレ
イを前進させるようにしたことを特徴とするディスク装置。
【請求項３】
前記クラッチ機構が、従動ピニオンの中央部外周面に部分的に形成したクラッチ溝と、
該クラッチ溝に外周部を部分的に嵌入させたクラッチ歯車とからなり、該クラッチ歯車が
ギア機構を介してフィードモータに連動連結されていることを特徴とする請求項２に記載
のディスク装置。
【発明の詳細な説明】
【技術分野】
【０００１】
本発明は、例えばＤＶＤレコーダなどのディスク装置に関し、プレイモードで振動によ
る歯部どうしの衝突や異音の発生を防ぐようにしたものである。
【背景技術】
【０００２】
従来、ディスク装置の技術として特許文献１などに記載したものがあり、その一例を図
１０〜図１２に基づいて説明すると、これはＤＶＤレコーダであって、ディスクＤ載置用
トレイ１を前後進ａ，ｂ可能に支持するローダーシャーシ２の内部空間２ａにトラバース
シャーシ３とトラバースホルダ５とが配置され、トラバースシャーシ３の四隅部を弾性ゴ
ムからなる弾性変形可能なダンパー４を介してローダーシャーシ２とトラバースホルダ５
とに連結することにより、該トラバースシャーシ３が後側ダンパー４を中心にして上下動
ｅ，ｆ可能に形成され、トラバースホルダ５の前端起立部５ａに突設したカムピン６がロ
ーダーシャーシ２の前部に前後進ａ，ｂとは直行する左右方向ｃ，ｄに移動可能に配置し
たカムスライダ７のカム溝８に嵌入されている。
【０００３】
前記トラバースシャーシ３の前部にターンテーブル１０付きスピンドルモータ１１が固
定されると共に、そのトラバースシャーシ３に光ピックアップ１２がガイドシャフト１３
に沿って前後進ａ，ｂ可能に配置され、光ピックアップ１２に一体連結したメインラック
１４Ａと、該メインラック１４Ａに一定範囲内移動可能に連結した状態でばね（図示せず
）により後進ｂ側に付勢されたサブラック１４Ｂとからなるダブルラック１４が設けられ
、該ダブルラック１４に係脱可能に噛合する駆動ピニオン１５をウォ−ムギア機構１６を
介して正逆回転ｇ，ｈさせるフィードモータ１７がトラバースシャーシ３に設けられてい
る。
【０００４】
図１０に示すように、前端起立部５ａの下面中央にプレートトリガ１９が左右方向ｃ，
ｄに一定範囲内移動可能に配置され、該プレートトリガ１９の前端から起立する起立板１
９ａに突設したトリガピン２０がカムスライダ７のピン溝２１に嵌入され、カムスライダ
７の一端に切換ラック２３が形成され、該切換ラック２３に対向してローダーシャーシ２
に従動ピニオン２４が正逆回転ｉ，ｊ可能に配置され、該従動ピニオン２４と切換ラック
２３との間にクラッチ機構３６が設けられており、プレイモードではクラッチオフ状態（
図１０参照）にされ、そのプレイモードからエジェクトモードに切り換えたときにクラッ
チ機構３６がオン状態にされる。
【０００５】
前記従動ピニオン２４はギア機構５２を介してフィードモータ１７に連動連結され、そ
の従動ピニオン２４に対向してトレイ１の下面にトレイラック２５が一体突設されている
。なお、２６ａ，２６ｂはカムスライダ７に突設した左右一対のガイドピンであって、ト
レイ１の下面に一体形成した左右一対のガイド溝２７ａ，２７ｂに係合されている。図１
１中、２８はローダーシャーシ２の上部に架設した天板部２ｂの中央収納部に昇降可能に
配置した磁石付きディスクホルダである。
【０００６】
上記構成において、図１０及び図１１（ａ）は、プレイモードを示すものであって、切
換ラック２３と従動ピニオン２４とが噛合されておらず、クラッチ機構３６をオフ状態に
しており、トラバースシャーシ３を上動ｆさせることにより、ターンテーブル１０とディ
スクホルダ２８とでディスクＤを挟持し、スピンドルモータ１１の駆動によりターンテー
ブル１０を介してディスクＤを高速回転させ、フィードモータ１７によりウォ−ムギア機
構１６、駆動ピニオン１５及びダブルラック１４を介して光ピックアップ１２を前後進ａ
，ｂさせ、該光ピックアップ１２によりディスクＤに記録されている映像情報の再生や録
画または消去をおこなう。
【０００７】
プレイモードからエジェクトモードに切り換えると、スピンドルモータ１１の駆動を停
止し、フィードモータ１７の駆動により、ウォ−ムギア機構１６を介して駆動ピニオン１
５を正転ｇさせることにより、ダブルラック１４を介して光ピックアップ１２を前進ａさ
せ、図１２（ａ）に示すように、光ピックアップ１２がスピンドルモータ１１に当接して
最前進ａ位置に達したときに、駆動ピニオン１５とメインラック１４Ａとの噛合いを解消
してサブラック１４Ｂだけを前進ａさせ〔図１２（ｂ）参照〕、その前進ａしたサブラッ
ク１４Ｂをプレートトリガ１９に係合させることにより該プレートトリガ１９を一方向ｃ
にスライドさせ、これによりトリガピン２０を介してカムスライダ７も同方向ｃに一体的
にスライドさせて、該カムスライダ７の切換ラック２３とフィードモータ１７により正転
ｉされる従動ピニオン２４とを同期して連動連結させ、クラッチ機構３６をオン状態にす
る。
【０００８】
続いて、ギア機構５２、従動ピニオン２４及び切換ラック２３を介してフィードモータ
１７によりカムスライダ７を左右一方向ｃにスライドさせることにより、カム溝８及びカ
ムピン６を介してトラバースホルダ５が下降され、前側ダンパー４を介してトラバースシ
ャーシ３の前部が押し下げられる。これにより、該トラバースシャーシ３が後側ダンパー
４を中心に下動ｅされ、ターンテーブル１０がトレイ１よりも下がって、該ターンテーブ
ル１０上のディスクＤがトレイ１に受け渡される。
【０００９】
前記カムスライダ７が左右一方向ｃにスライドされて左端に達する直前に、各ガイドピ
ン２６ａ，２６ｂが各ガイド溝２７ａ，２７ｂのコーナ斜面３０に押し付けられて、トレ
イ１をわずかに前進ａさせ、トレイラック２５を従動ピニオン２４に噛合させ、それと同
時に、切換ラック２３が従動ピニオン２４から外れて縁が切れ、クラッチ機構３６をオフ
状態にする。
【００１０】
次に、前記従動ピニオン２４の正転ｉにより、トレイラック２５を介してトレイ１が前
進ａされ〔図１１（ｂ）参照〕、その最前進ａ状態のトレイ１からディスクＤを取り出し
たり、そのトレイ１上に新たなディスクＤを載置した後、エジェクト釦を押すことにより
、上記と逆の手順でプレイモードに戻される。
【特許文献１】実用新案登録第３０９６６５４号
【発明の開示】
【発明が解決しようとする課題】
【００１１】
上記従来の構成では、プレイモードでトラバースシャーシ３が各ダンパー４を介してロ
ーダーシャーシ２に弾性的に支持されているため、そのローダーシャーシ２側から加わる
振動を各ダンパー４で吸収してトラバースシャーシ３を静止させることができるが、その
トラバースシャーシ３側のギア機構５２とローダーシャーシ２側の従動ピニオン２４とが
常時噛合されているため、上記振動によりギア機構５２の歯部と従動ピニオン２４の歯部
とが互い衝突して、その歯部が損傷されたり、異音を発生させてユーザに不快感を与える
ことがある。
【００１２】
本発明は、上記従来の欠点に鑑み、プレイモードで振動による歯部どうしの衝突や異音
の発生を防ぐようにしたディスク装置を提供することを目的としている。
【課題を解決するための手段】
【００１３】
上記目的を達成するため、請求項１記載の発明は、ディスク載置用トレイを前後進可能
に支持するローダーシャーシが設けられ、該ローダーシャーシの内部空間に、光ピックア
ップを前後進可能に配置したトラバースシャーシとトラバースホルダとが配置され、前記
トラバースシャーシの四隅部がダンパーを介してローダーシャーシとトラバースホルダと
の連結され、該トラバースホルダがローダーシャーシに前後進方向とは直交する左右方向
にスライド可能に配置したカムスライダに係合され、該カムスライダの一端に形成した切
換ラックと、該切換ラックに対向してローダーシャーシに正逆回転可能に配置した従動ピ
ニオンとの間にクラッチ機構が設けられ、該従動ピニオンとトラバースシャーシに設けた
フィードモータとを連動連結するギア機構がそのトラバースシャーシに設けられており、
プレイモードからエジェクトモードに切り換えることにより、フィードモータを駆動して
光ピックアップを最前進位置まで移動させた後にカムスライダを左右一方向にスライドさ
せることにより、切換ラックを従動ピニオンに噛合させてクラッチ機構をオン状態とし、
フィードモータによりギア機構、従動ピニオン及び切換ラックを介してカムスライダを左
右一方向にスライドさせることにより、トラバースシャーシを下動させ、トレイを前進さ
せるようにしたディスク装置において、前記切換ラックと従動ピニオンとの間に設けたク
ラッチ機構を、その従動ピニオンとギア機構との間に移行させ、その移行させたクラッチ
機構が、従動ピニオンの中央部外周面に部分的に形成したクラッチ溝と、該クラッチ溝に
外周部を部分的に嵌入させたクラッチ歯車とからなり、該クラッチ歯車がギア機構を介し
てフィードモータに連動連結されており、プレイモードからエジェクトモードに切り換え
ることにより、フィードモータを駆動して光ピックアップを最前進位置まで移動させた後
にカムスライダを左右一方向にスライドさせることにより、切換ラックに噛合する従動ピ
ニオンを正転させ、その正転させた従動ピニオンをクラッチ歯車に噛合させることにより
クラッチ機構をオン状態にすることを特徴としている。
【００１４】
請求項２に記載の発明は、ディスク載置用トレイを前後進可能に支持するローダーシャ
ーシが設けられ、該ローダーシャーシの内部空間に、光ピックアップを前後進可能に配置
したトラバースシャーシとトラバースホルダとが配置され、前記トラバースシャーシの四
隅部がダンパーを介してローダーシャーシとトラバースホルダとの連結され、該トラバー
スホルダがローダーシャーシに前後進方向とは直交する左右方向にスライド可能に配置し
たカムスライダに係合され、該カムスライダの一端に形成した切換ラックに対向してロー
ダーシャーシに従動ピニオンが正逆回転可能に配置され、該従動ピニオンとトラバースシ
ャーシ上のフィードモータとを連動連結するギア機構がそのトラバースシャーシ上に設け
られたディスク装置において、前記従動ピニオンとギア機構との間にクラッチ機構が設け
られており、プレイモードからエジェクトモードに切り換えることにより、フィードモー
タを駆動して光ピックアップを最前進位置まで移動させた後にカムスライダを左右一方向
にスライドさせることにより、切換ラックに噛合する従動ピニオンを正転させてクラッチ
機構をオン状態とし、フィードモータによりギア機構、クラッチ機構、従動ピニオン及び
切換ラックを介してカムスライダを左右一方向にスライドさせることにより、トラバース
シャーシを下動させ、トレイを前進させるようにしたことを特徴としている。
【００１５】
請求項３に記載の発明は、請求項２に記載の発明において、前記クラッチ機構が、従動
ピニオンの中央部外周面に部分的に形成したクラッチ溝と、該クラッチ溝に外周部を部分
的に嵌入させたクラッチ歯車とからなり、該クラッチ歯車がギア機構を介してフィードモ
ータに連動連結されていることを特徴としている。
【発明の効果】
【００１６】
請求項１に記載の発明は、実施の一形態（図１〜図９参照）に対応するものであって、
これによれば、トラバースシャーシが各ダンパーを介してローダーシャーシに弾性的に支
持されているため、ローダーシャーシ側から加わる振動を各ダンパーで吸収してトラバー
スシャーシを静止させることができ、これに加えて、プレイモード中は、トラバースシャ
ーシ側のギア機構とローダーシャーシ側の従動ピニオンとがクラッチ機構によりオフ状態
にされているので、上記振動によりクラッチ歯車の歯部と従動ピニオンの歯部とが互いに
衝突せず、従来のように歯部どうしが衝突して損傷されたり、異音を発生させることがな
く、ユーザに快適なプレイ環境を提供することができる。
【００１７】
前記クラッチ機構が、従動ピニオンの中央部外周面に部分的に形成したクラッチ溝と、
該クラッチ溝に外周部を部分的に嵌入させたクラッチ歯車とからなり、構造簡単で部品点
数が少ないので、製作費を安くすることができ、また、クラッチオフ状態から従動ピニオ
ンを回転させるだけで、該従動ピニオンをクラッチ歯車に噛合させて直ちにクラッチオン
状態にすることができる。
【００１８】
請求項２に記載の発明は、基本形態に対応するものであって、これによれば、トラバー
スシャーシが各ダンパーを介してローダーシャーシに弾性的に支持されているので、その
ローダーシャーシ側から加わる振動を各ダンパーで吸収してトラバースシャーシを静止さ
せることができ、これに加えて、プレイモード中は、トラバースシャーシ側のギア機構と
ローダーシャーシ側の従動ピニオンとがクラッチ機構によりオフ状態にされているので、
上記振動によりギア機構の歯部と従動ピニオンの歯部とが互いに衝突せず、従来のように
歯部どうしが衝突して損傷されたり、異音を発生させることがなく、ユーザに快適なプレ
イ環境を提供することができる。
【００１９】
請求項３に記載の発明によれば、前記クラッチ機構が、従動ピニオンの中央部外周面に
部分的に形成したクラッチ溝と、該クラッチ溝に外周部を部分的に嵌入させたクラッチ歯
車とからなり、構造簡単で部品点数が少ないので、製作費を安くすることができ、また、
クラッチオフ状態から従動ピニオンを回転させるだけで、該従動ピニオンをクラッチ歯車
に噛合させて直ちにクラッチオン状態にすることができる。
【発明を実施するための最良の形態】
【００２０】
図１〜図９は本発明の実施の一形態であるＤＶＤレコーダを示すものであって、従動ピ
ニオン２４とギア機構５２（図１参照）との間にクラッチ機構３６が設けられ、サブラッ
ク１４Ｂとプレートトリガ１９とを着脱可能に連結するための連結機構３５とが設けられ
ている。上記以外の構成は図１０〜図１２に示す構成とほぼ同じであるから、同一部分に
同一符号を付してその説明を省略する。
【００２１】
図４に示すように、前記従動ピニオン２４は、小径状の上側ピニオン部２４ａと、大径
状の下側ピニオン部２４ｂとからなり、クラッチ機構３６は、下側ピニオン部２４ｂの上
端外周面にクラッチ溝５０を部分的に形成し、該クラッチ溝５０にクラッチ歯車５１の外
周部を部分的に嵌入させたものであって、該クラッチ歯車５１は歯車機構５２を介してフ
ィードモータ１７に連動連結されており、図４に示すプレイモードでは、クラッチ機構３
６がオフ状態にされ、このプレイモードからエジェクトモードに切り換えることにより、
従動ピニオン２４を正転ｉさせて、下側ピニオン部２４ｂをクラッチ歯車５１に噛合させ
、フィードモータ１７の動力をギア機構５２及びクラッチ歯車５１を介して従動ピニオン
２４に伝達する。なお、上側ピニオン部２４ａには、切換ラック２３とトレイラック２５
とが択一的に噛合される。
【００２２】
前記連結機構３５は、図６に示すように、トラバースシャーシ３の下面に枢支軸４６を
介して回動可能に枢着された切換レバー４７を有し、該切換レバー４７の基端に形成した
基端扇形歯部４７ａがプレートトリガ１９の後側ラック１９ｂに噛合されると共に、その
切換レバー４７の先端に形成した先端扇形歯部４７ｂがサブラック１４Ｂの先端に形成し
た前側ラック１４ａに対向されており、プレイモードでは、切換レバー４７の先端扇形歯
部４７ｂがサブラック１４Ｂの前側ラック１４ａから離間されて連結解除の状態にされ（
図６参照）、エジェクトモードでは、前進ａするサブラック１４Ｂの前側ラック１４ａが
先端扇形歯部４７ｂに係合されて連結状態にされ、プレートトリガ１９を左右一方向ｃに
スライドさせる（図７参照）。
【００２３】
上記構成において、図１、図３及び図５（ａ）は、プレイモードを示すものであって、
クラッチ機構３６及び連結機構３５がオフ状態にされると共に、切換ラック２３が従動ピ
ニオン２４に噛合され、トラバースシャーシ３を上動ｆさせることにより、ターンテーブ
ル１０とディスクホルダ２８とでディスクＤを挟持し、スピンドルモータ１１の駆動によ
りターンテーブル１０を介してディスクＤを高速回転させ、フィードモータ１７によりウ
ォ−ムギア機構１６、駆動ピニオン１５及びダブルラック１４を介して光ピックアップ１
２を前後進ａ，ｂさせ（図６参照）、該光ピックアップ１２によりディスクＤに記録され
ている映像情報の再生や録画または消去をおこなう。
【００２４】
この場合、トラバースシャーシ３が各ダンパー４を介してローダーシャーシ２に弾性的
に支持されているので、そのローダーシャーシ２側から加わる振動を各ダンパー４で吸収
してトラバースシャーシ３を静止させることができ、これに加えて、プレイモード中は、
トラバースシャーシ３側のギア機構５２（及びクラッチ歯車５１）とローダーシャーシ２
側の従動ピニオン２４とがクラッチ機構３６によりオフ状態にされているので、上記振動
によりクラッチ歯車５１の歯部と従動ピニオン２４の歯部とが互いに衝突せず、従来のよ
うに歯部どうしが衝突して損傷されたり、異音を発生させることがなく、ユーザに快適な
プレイ環境を提供することができる。
【００２５】
前記クラッチ機構３６が、従動ピニオン２４に部分的に形成したクラッチ溝５０と、該
クラッチ溝５０に外周部を部分的に嵌入させたクラッチ歯車５１とからなり、構造簡単で
部品点数が少ないので、製作費を安くすることができ、また、クラッチオフ状態（図４参
照）から従動ピニオン２４を正逆回転ｉ，ｊさせるだけで、該従動ピニオン２４をクラッ
チ歯車５１に噛合させて直ちにクラッチ機構３６をオン状態にすることができる。
【００２６】
プレイモードからエジェクトモードに切り換えると、スピンドルモータ１１の駆動を停
止し、フィードモータ１７の駆動により、ウォ−ムギア機構１６を介して駆動ピニオン１
５を正転ｇさせることにより、ダブルラック１４を介して光ピックアップ１２を前進ａさ
せる。
【００２７】
次に、図７に示すように、光ピックアップ１２が最前進ａ位置に達したときに、駆動ピ
ニオン１５とメインラック１４Ａとの噛合いを解消してサブラック１４Ｂだけを前進ａさ
せ、該サブラック１４Ｂの前側ラック１４ａを切換レバー４７の先端扇形歯部４７ｂに噛
合させ、該切換レバー４７を回動させ、その切換レバー４７の基端扇形歯部４７ａ及び後
側ラック１９ｂを介してプレートトリガ１９を左右一方向ｃにスライドさせ、これにより
、トリガピン２０によりカムスライダ７も同方向ｃに一体的にスライドさせ〔図５（ｂ）
参照〕、該カムスライダ７の切換ラック２３を介して従動ピニオン２４を矢印ｉ方向に回
転させて、下側ピニオン部２４ｂをクラッチ歯車５１に噛合させ、これにより、クラッチ
機構３６をオン状態とし、従動ピニオン２４をフィードモータ１７に連動連結する。
【００２８】
続いて、フィードモータ１７で従動ピニオン２４を矢印ｉ方向にほぼ１周近く回転させ
ることにより、切換ラック２３を介してカムスライダ７を左右一方向ｃにスライドさせ、
カム溝８及びカムピン６を介してトラバースホルダ５が下降され〔図５（ｃ）参照〕、前
側ダンパー４を介してトラバースシャーシ３の前部が押し下げられる。これにより、該ト
ラバースシャーシ３が後側ダンパー４を中心に下動ｅされ、ターンテーブル１０がトレイ
１よりも下がって、該ターンテーブル１０上のディスクＤがトレイ１に受け渡される（図
９参照）。
【００２９】
前記カムスライダ７が左右一方向ｃにスライドされて左端に達する直前に、各ガイドピ
ン２６ａ，２６ｂが各ガイド溝２７ａ，２７ｂのコーナ斜面３０に押し付けられて、トレ
イ１をわずかに前進ａさせ、トレイラック２５を従動ピニオン２４に噛合させ、それと同
時に、切換ラック２３が従動ピニオン２４から外れて縁が切れる（図８参照）。
【００３０】
その後、前記従動ピニオン２４の正転ｉにより、トレイラック２５を介してトレイ１が
前進ａされ（図９参照）、その最前進ａ状態のトレイ１からディスクＤを取り出したり、
そのトレイ１上に新たなディスクＤを載置した後、エジェクト釦を押すことにより、上記
と逆の手順でプレイモードに戻される。
【産業上の利用可能性】
【００３１】
上記実施の形態では、ＤＶＤレコーダを例にあげて説明したが、これに限定されるわけ
ではなく、例えばＤＶＤプレーヤやＣＤプレーヤなどの各種のディスク装置にも適用され
る。
【図面の簡単な説明】
【００３２】
【図１】本発明の実施の一形態であるＤＶＤレコーダのプレイモードを示す平面図である。
【図２】同裏面図である。
【図３】同縦断面図である。
【図４】同クラッチ機構付近の斜視図である。
【図５】（ａ）は同プレイモードを示す横断面図、（ｂ）はエジェクトモードの前半を示す横断面図、（ｃ）はエジェクトモードの後半を示す横断面図である。
【図６】同プレイモードを示す要部の概略平面図である。
【図７】同エジェクトモードを示す要部の概略平面図である。
【図８】同エジェクトモードを示す平面図である。
【図９】同エジェクトモードを示す縦断面図である。
【図１０】従来例を示す平面図である。
【図１１】（ａ）はプレイモードを示す縦断面図、（ｂ）はエジェクトモードを示す縦断面図である。
【図１２】（ａ）は同エジェクトモードの前半を示す概略平面図、（ｂ）はエジェクトモードの後半を示す概略平面図である。
【符号の説明】
【００３３】
１          トレイ
２          ローダーシャーシ
２ａ        ローダーシャーシの内部空間
３          トラバースシャーシ
４          ダンパー
５          トラバースホルダ
７          カムスライダ
１２        光ピックアップ
１７        フィードモータ
２３        切換ラック
２４        従動ピニオン
３６        クラッチ機構
５０        クラッチ溝
５１        クラッチ歯車
５２        ギア機構
Ｄ          ディスク
ａ，ｂ      前後進
ｃ，ｄ      左右方向
ｅ，ｆ      上下動
ｉ，ｊ      正逆回転
【図１】
2006040386.tif 000003
【図２】
2006040386.tif 000004
【図３】
2006040386.tif 000005
【図４】
2006040386.tif 000006
【図５】
2006040386.tif 000007
【図６】
2006040386.tif 000008
【図７】
2006040386.tif 000009
【図８】
2006040386.tif 000010
【図９】
2006040386.tif 000011
【図１０】
2006040386.tif 000012
【図１１】
2006040386.tif 000013
【図１２】
2006040386.tif 000014